(57)【特許請求の範囲】
【請求項１】
電子部品を備えたケースと、前記電子部品に取り付けられ一部分に飛出し形状を有するボリュームつまみとからなるボリューム装置であって、
前記ケースは、前記ボリュームつまみを前記電子部品に取り付ける際に前記飛出し形状と前記ケースが干渉して前記ボリュームつまみの挿入を止める構造と、挿入が止まった状態で前記ボリュームつまみを回転させると前記飛出し形状と前記ケースが干渉して回転を止める構造と、回転が止められた状態で前記ボリュームつまみを前記電子部品へさらに挿入する構造と、を備えたものである、ボリューム装置。
【請求項２】
前記飛出し形状は、前記ボリュームつまみの底面と側面とが接する稜の一部分に備えるものである請求項１記載のボリューム装置。
【請求項３】
前記飛出し形状を少なくとも二箇所以上設け、前記飛出し形状の回転方向の長さ又は前記飛出し形状自体を異ならせたものである請求項１または２記載のボリューム装置。
【請求項４】
請求項１乃至３のいずれか一項に記載のボリューム装置を有するモータ制御装置。
【発明の詳細な説明】
【技術分野】
【０００１】
本発明は、ボリュームつまみを備え、ボリューム機能を有した電子部品に前記ボリュームつまみを取り付けて、前記ボリュームつまみを操作することで、ボリューム調整を行う機能を有したモータ制御装置（いわゆるインバータ装置）において、ボリュームつまみの取り付け強度を強化し、かつ容易に取り付け可能にする構成に関するものである。
【背景技術】
【０００２】
インバータ装置には、一般的に、パラメータの選択やデータの設定等をするボリュームつまみが備えられている（例えば、特許文献１）。従来のボリュームつまみの取り付け方法は、図６および図７に示すような構成になっており、図６は完成図で、図７は図６の分解図である。
図６、７において、１はボリューム装置であり、２はボリュームつまみ、３はボリュームつまみを取り付ける電子部品（可変抵抗器）、４はボリュームつまみを収納するケース、５はボリュームつまみ２とケース４を保護するカバーである。
電子部品３にボリュームの機能を有しており、これを操作することでボリューム調整を行う。直接この電子部品３を触ってボリューム調整を行っても問題ないが、操作性や取り付け強度を向上させるため、ボリュームつまみ２を取り付けて、ボリュームつまみ２を操作して、間接的に電子部品３のボリューム調整を行う。しかしこの状態では、ボリュームつまみ２が電子部品３から不用意に外れる場合があり、安全性、操作性、取り付け強度を向上させるため、カバー５を取り付けることで、ボリュームつまみ２とケース４の保護を行い、またこのボリュームつまみ２が電子部品３から外れないように押さえるという役割も果たしている。
このように、従来のボリューム装置１は、単に電子部品３を操作してボリューム調整を行うのは操作性や取り付け強度が不足しているため、ボリュームつまみを取り付けて向上させるが、それだけではボリュームつまみが不用意に外れるため、さらにカバーを取り付けて、安全性、操作性、取り付け強度を確保しているのである。
【特許文献１】特開平９−２４７９４８号公報
【発明の開示】
【発明が解決しようとする課題】
【０００３】
従来のボリューム装置は、電子部品にボリュームつまみを取り付けてボリューム調整を行っているが、ボリュームつまみを固定できないため、このボリュームつまみが不用意に外れて、安全性、操作性、取り付け強度を確保することができないという問題があった。また、それを満たすような場合はカバーを取り付けることになるので、部品点数が増え、コストアップとなるというような問題もあった。
【０００４】
本発明はこのような問題点に鑑みてなされたものであり、ボリュームつまみが不用意に外れないようにして安全性、操作性、取り付け強度を確保するとともに、カバーの取り付けを行わず部品点数の削減、またコストダウンをすることができるボリューム装置とそのボリューム装置を用いたモータ制御装置を提供することを目的とする。
【課題を解決するための手段】
【０００５】
上記問題を解決するため、本発明は、次のように構成したのである。
請求項１に記載の発明は、電子部品を備えたケースと、前記電子部品に取り付けられ一部分に飛出し形状を有するボリュームつまみとからなるボリューム装置であって、
前記ケースは、前記ボリュームつまみを前記電子部品に取り付ける際に前記飛出し形状と前記ケースが干渉して前記ボリュームつまみの挿入を止める構造と、挿入が止まった状態で前記ボリュームつまみを回転させると前記飛出し形状と前記ケースが干渉して回転を止める構造と、回転が止められた状態で前記ボリュームつまみを前記電子部品へさらに挿入する構造と、を備えたものである
また、請求項２に記載の発明は請求項１記載のボリューム装置において、前記飛出し形状は、前記ボリュームつまみの底面と側面とが接する稜の一部分に備えるものである。
また、請求項３に記載の発明は、請求項１または２記載のボリューム装置において、前記飛出し形状を少なくとも二箇所以上設け、前記飛出し形状の回転方向の長さ又は前記飛出し形状自体を異ならせたものである。
また、請求項４に記載の発明は、請求項１乃至３のいずれか一項に記載の前記ボリューム装置を有するものである。
【発明の効果】
【０００６】
本発明によると、人為的な作用がなければボリュームつまみが外れないようにすることができ、取り付け強度を確保することができる。
また、ボリュームつまみの固定が電子部品だけではなく、ケースとも取り付けることができ、さらに取り付け強度を強くすることができる。
また、本発明によると、電子部品の構造に二段階の挿入形態の構成を作るための特別な構造をなくすことができ、電子部品の形状を簡略化することができる。
【発明を実施するための最良の形態】
【０００７】
以下、本発明の実施の形態について図に基づいて詳細に説明する。
【実施例】
【０００８】
図５は、インバータ装置の動作基本部分を大まかにブロックで示したもので、図において、１６がモータ制御装置全体を表わしている。このモータ制御装置は、図示のように大別して、コンバータ部１８、平滑コンデンサ２１、インバータ部１９、それに入力操作部２０で構成されている。
【０００９】
まず、コンバータ部１８は、三相ブリッジ形の整流器で構成され、交流電源２３から供給された三相交流電力を整流して直流電力に変換する働きをする。平滑コンデンサ２１は、コンバータ部１８から出力された直流電力を平滑化する働きをする。
【００１０】
インバータ部１９は、三相の各スイッチングアームで構成され、各アームを構成するスイッチング素子のスイッチング動作により、入力された直流電力を任意の周波数で任意の電圧の三相ＵＶＷの交流電力に変換して、図示してない、例えば誘導電動機などの負荷に供給する働きをする。
【００１１】
ここで、インバータ部１９の各スイッチング素子のスイッチング動作は、図示してない制御部からの制御信号により行なわれる。
入力操作部２０は表示部１７とボリューム装置１からなり、運転するために必要な負荷電動機２２のモータ定数や運転速度などの運転条件の設定を行なう。
【００１２】
図１は本発明のボリューム装置をモータ制御装置１６の正面に搭載した実施例である。図１において１はボリューム装置、２はボリュームつまみ、１７は表示部である。図２〜４は、本発明の実施例におけるボリューム装置１のボリュームつまみ２の取り付け構造を示す図である。図２は本発明の完成図で、図３は図２の分解図である。
【００１３】
図３において、１２はボリュームつまみを電子部品に挿入方向に取り付ける際に、ある程度挿入された、または全く挿入されていない途中段階においてのボリュームつまみの回転方向である。１４はボリュームつまみを電子部品に挿入方向に取り付ける際に、ある程度挿入された、または全く挿入されていない途中段階において、ボリュームつまみを回転させた時に、ボリュームつまみの飛出し形状とケースが干渉して、途中で回転が止まった状態である。１５はボリュームつまみを電子部品に挿入方向に取り付ける際に、ある程度挿入された、または全く挿入されていない途中段階において、ボリュームつまみを回転させた時に、ボリュームつまみの飛出し形状とケースが干渉して、途中で回転が止まった状態において、ボリュームつまみを電子部品に完全に取り付ける際の二段階目の挿入方向である。
【００１４】
図４はケース４の詳細図である。図４において、１１はボリュームつまみを電子部品に挿入方向に取り付ける際に、ボリュームつまみの飛出し形状とケースが干渉して、途中で挿入が止まるようなケースの一部分の構造である。１３はボリュームつまみを電子部品に挿入方向に取り付ける際に、ある程度挿入された、または全く挿入されていない途中段階において、ボリュームつまみを回転させた時に、ボリュームつまみの飛出し形状とケースが干渉して、途中で回転が止まるようなケースの一部分の構造である。
【００１５】
また、図１はボリューム装置をモータ制御装置（いわゆるインバータ装置）に搭載した実施例である。
図１〜４において、１はボリューム装置であり、２はボリュームつまみ、３はボリュームつまみを取り付ける電子部品、４はボリュームつまみを収納するケースである。ボリュームつまみ２は、底面６と側面７とが接する稜の一部分に飛出し形状８を備えている構造となっている。またケース４は、ボリュームつまみ２を電子部品３に完全に取り付けるまでの取り付け工程においてのある特別な状態において、ボリュームつまみ２の飛出し形状８と干渉が発生するような構造となっている。
【００１６】
その特別な状態においての干渉が発生する構造とは、ボリュームつまみ２を電子部品３に取り付ける際の一段階目の挿入方向９で取り付ける際に、ボリュームつまみ２と電子部品３とがある程度挿入された、または全く挿入されていない途中段階１０で、ボリュームつまみ２の飛出し形状８とケース４とが干渉して途中で挿入が止まる構造１１を設ける。そして途中段階１０で止まった状態でボリュームつまみ２を回転させることができ、その回転方向１２において、ボリュームつまみ２の飛出し形状８とケース４とが干渉して回転が途中で止まる構造１３を設ける。そしてその回転が止まった状態１４において、ボリュームつまみ２を電子部品３に取り付ける際の二段階目の挿入方向１５に挿入させた時、完全に挿入させることができる構造となっている。
本発明が従来技術と異なる部分は、ボリュームつまみ２の飛出し形状８と、ケース４の構造１１と構造１３、とを備えた部分である。
【００１７】
図１〜４において、ボリュームつまみ２に飛出し形状８を設け、またケース４に構造１１と構造１３を設けるにより、人為的な作用がなければ外れないようにすることができるため、取り付け強度を確保することができる。よって、カバーを削除することができ、部品点数の削減ができ、またコストダウンもできる。また、電子部品の構造に二段階の挿入形態の構成を作るための特別な構造をなくすことができ、電子部品の形状を簡略化することができる。このことにより、ボリュームつまみ２の飛出し形状８と、ケース４の構造１１と構造１３の組み合わせにより、取り付け作業時の位置決めを確保することができるため、容易に取り付け作業を行うことができる。
なお、本発明において、ボリュームつまみ２の飛出し形状８を、底面６と側面７とが接する稜の二ヶ所に設けているが、これは別に一ヶ所でも何ヶ所でも問題ない。また、飛出し形状８の回転方向の長さを同じにせず、回転方向の長さ又は飛出し形状自体を異ならせることで、取り付けの誤挿入を防止することもできる。
また、本発明の実施例は、ボリューム装置１をモータ制御装置１６に取り付けた構造で説明しているが、これはボリューム装置単体であっても実現可能な構造である。
【００１８】
このように、ボリュームつまみ１に飛出し形状８を設け、またケース４に構造１１と構造１３を設けた構造にしているので、ボリューム装置の安全性、操作性、およびボリュームつまみ１の取り付け強度を確保するとともに、部品点数の削減もでき、またボリュームつまみ１の取り付け作業を容易にすることができる。
【図面の簡単な説明】
【００１９】
【図１】本発明の実施例を示すボリューム装置をモータ制御装置に搭載した実施例である。
【図２】本発明の実施例を示すボリューム装置の取り付け構成図の完成図である。
【図３】本発明の実施例を示すボリューム装置の取り付け構成図、図２の分解図である。
【図４】本発明の実施例を示すボリューム装置の取り付け構成図のケースの詳細図である。
【図５】モータ制御装置の構成図である。
【図６】従来のボリューム装置の構成図の完成図である。
【図７】従来のボリューム装置の構成図、図６の分解図である。
【符号の説明】
【００２０】
１  ボリューム装置
２  ボリュームつまみ
３  電子部品
４  ケース
５  カバー
６  ボリュームつまみの底面
７  ボリュームつまみの側面
８  ボリュームつまみの底面と側面とが接する稜の一部分にある飛出し形状
９  ボリュームつまみを電子部品に取り付ける際の一段階目の挿入方向
１０  ボリュームつまみを電子部品に挿入方向に取り付ける際に、ある程度挿入された、または全く挿入されていない途中段階
１１  ボリュームつまみの飛出し形状とケースが干渉して、途中で挿入が止まるようなケースの一部分の構造
１２  ある程度挿入された、または全く挿入されていない途中段階においてのボリュームつまみの回転方向
１３  ある程度挿入された、または全く挿入されていない途中段階において、ボリュームつまみを回転させた時に、ボリュームつまみの飛出し形状とケースが干渉して、途中で回転が止まるようなケースの一部分の構造
１４  ボリュームつまみを回転させた時に、ボリュームつまみの飛出し形状とケースが干渉して、途中で回転が止まった状態
１５  ボリュームつまみを回転させた時に、ボリュームつまみの飛出し形状とケースが干渉して、途中で回転が止まった状態において、ボリュームつまみを電子部品に完全に取り付ける際の二段階目の挿入方向
１６  モータ制御装置
１７  表示部
１８  コンバータ部
１９  インバータ部
２０  入力操作部
２１  平滑コンデンサ
２２  電動機
２３  電源
【図１】
0005120628.tif 000002
【図２】
0005120628.tif 000003
【図３】
0005120628.tif 000004
【図４】
0005120628.tif 000005
【図５】
0005120628.tif 000006
【図６】
0005120628.tif 000007
【図７】
0005120628.tif 000008